(57)【要約】【課題】製品、または部品の運搬、または保管の分野において、酸化作用による錆の発生または進行を防止する運搬、または保管を簡単に行い得る梱包を提供することを目的とする。【解決手段】梱包保管部１の内部のガス圧力を抑制するため、または梱包内の酸素を取り除くために、半密閉容器とし酸素を含まない気化性物質を封入したボンベ２を梱包保管部１の下隅に設置する。そしてボンベ２は時間の経過と共に除々に気体を放出し、梱包保管部内を酸素を含まない気化性物質にて満たす。【選択図】図１
2006076664.tif 000002
【特許請求の範囲】
【請求項１】
製品と、酸素を含まない気化性物質が封入されたボンベとを容器の中に入れる構成の梱包であり、前記ボンベは前記気化性物質が時間の経過と共に徐々に放出されるように調整されており、前記気化性物質の前記放出による前記容器内のガス圧力を抑制するために、前記梱包の容器が半密閉容器であることを特徴とする梱包。
【請求項２】
請求項１記載の梱包において、製品が部品に置換された構成の梱包。
【請求項３】
請求項１又は請求項２のいずれかに記載の梱包において、梱包の使用開始から使用終了までの間、気化性物質を放出し続けることができるだけの容量を有するボンベが備えられる梱包。
【請求項４】
請求項１から請求項３のいずれかに記載の梱包において、半密閉容器の中には、酸素を含まない気体を充満させた梱包。
【発明の詳細な説明】
【技術分野】
【０００１】
本発明は製品、または部品を運搬、または保管する分野において、酸化作用による錆の発生、または進行を防止する運搬、または保管に関する。
【背景技術】
【０００２】
図２に従来の製品、または部品を運搬、または保管を行う一般の梱包の構造を示しており、梱包保管部１により構成されている。
【発明の開示】
【発明が解決しようとする課題】
【０００３】
以下に従来の梱包の課題について説明する。
【０００４】
一般に、製品、または部品を運搬、または保管の分野において、酸化作用による錆の発生、または進行を防止する運搬、または保管方法に対して、長期化が要求されている。
【０００５】
本発明はこのような防錆手段において、運搬、または保管を長期にわたって製品、または部品に錆が生じたり、錆が進行することを防止した梱包手段の提供を目的としている。
【課題を解決するための手段】
【０００６】
上記課題を解決するために、本件出願に係る第１の発明の梱包は、製品と、酸素を含まない気化性物質が封入されたボンベとを容器の中に入れる構成の梱包であり、前記ボンベは前記気化性物質が時間の経過と共に徐々に放出されるように調整されており、前記気化性物質の前記放出による前記容器内のガス圧力を抑制するために、前記梱包の容器が半密閉容器であることを特徴とする。
【０００７】
また、本件出願に係る第２の発明の梱包は、上記発明において、製品が部品に置換された構成の梱包である。
【０００８】
また、本件出願に係る第３の発明の梱包は、上記第１、第２の発明において、梱包の使用開始から使用終了までの間、気化性物質を放出し続けることができるだけの容量を有するボンベが備えられる梱包である。
【０００９】
また、本件出願に係る第４の発明の梱包は、上記第１、第２、第３の発明において、半密閉容器の中には、酸素を含まない気体を充満させた梱包である。
【００１０】
このように、本発明の梱包においては、半密閉容器の中に製品または部品を入れ、前記製品または部品と共に酸素を含まない気化性物質を封入したボンベを入れ、前記ボンベは、時間の経過と共に前記気化性物質を徐々に放出するように調整することにより、また、酸素を含まない気化性物質を封入したボンベは、梱包の使用開始から使用終了までの間、前記気化性物質を放出し続ける事ができるだけの容量とすることにより、前記半密閉容器の中に窒素，ヘリウムまたは防錆効果を有する合成気体などの酸素を含まない気体を充満させることになる。
【００１１】
従って、この本発明によれば、製品、または部品を運搬、または保管の分野において、酸化作用による錆の発生または進行を防止する運搬、または保管に対して長期化が可能となる。
【発明の効果】
【００１２】
本発明によれば、製品、または部品の運搬、または保管の分野において、酸化作用による錆の発生または進行を防止する運搬、または保管において有効なものである。
【発明を実施するための最良の形態】
【００１３】
以下本発明の実施の形態について、図面を参照して説明する。
【００１４】
（実施の形態１）
本発明の梱包は、半密閉容器の中に製品を入れ、前記製品と共に酸素を含まない気化性物質を封入したボンベを入れ、前記ボンベは、時間の経過と共に前記気化性物質を徐々に放出するように調整することにより、製品の運搬、または保管の分野において、酸化作用による錆の発生または進行を防止することができる。
【００１５】
（実施の形態２）
また、本発明の梱包は、上記発明において、酸素を含まない気化性物質を封入したボンベは、梱包の使用開始から使用終了までの間、前記気化性物質を放出し続ける事ができるだけの容量をもつようにすることにより、製品の運搬、または保管の分野において、酸化作用による錆の発生または進行を防止することができる。
【００１６】
（実施の形態３）
また、本発明の梱包は、半密閉容器の中に部品を入れ、前記部品と共に酸素を含まない気化性物質を封入したボンベを入れ、前記ボンベは、時間の経過と共に前記気化性物質を徐々に放出するように調整することにより、部品の運搬、または保管の分野において、酸化作用による錆の発生または進行を防止することができる。
【００１７】
（実施の形態４）
また、本発明の梱包は、上記発明において、酸素を含まない気化性物質を封入したボンベは、梱包の使用開始から使用終了までの間、前記気化性物質を放出し続ける事ができるだけの容量をもつようにすることにより、部品の運搬、または保管の分野において、酸化作用による錆の発生または進行を防止することができる。
【００１８】
（実施の形態５）
また、本発明の梱包は、半密閉容器記載の中に製品を入れ、前記製品と共に酸素を含まない気化性物質を封入したボンベを入れ、前記ボンベは、時間の経過と共に前記気化性物質を徐々に放出するように調整すると共に、前記半密閉容器の中に酸素を含まない気体を充満させたものであり、製品の運搬、または保管の分野において、酸化作用による錆の発生または進行を防止することができる。
【００１９】
（実施の形態６）
また、本発明の梱包は、上記発明において、酸素を含まない気化性物質を封入したボンベは、梱包の使用開始から使用終了までの間、前記気化性物質を放出し続ける事ができるだけの容量をもつようにすることにより、製品の運搬、または保管の分野において、酸化作用による錆の発生または進行を防止することができる。
【００２０】
（実施の形態７）
また、本発明の梱包は、半密閉容器の中に部品を入れ、前記部品と共に酸素を含まない気化性物質を封入したボンベを入れ、前記ボンベは、時間の経過と共に、前記気化性物質を徐々に放出するように調整すると共に、前記半密閉容器の中に酸素を含まない気体を充満させたものであり、部品の運搬、または保管の分野において、酸化作用による錆の発生または進行を防止することができる。
【００２１】
（実施の形態８）
また、本発明の梱包は、上記発明において、酸素を含まない気化性物質を封入したボンベは、梱包の使用開始から使用終了までの間、前記気化性物質を放出し続ける事ができるだけの容量をもつようにすることにより、部品の運搬、または保管の分野において、酸化作用による錆の発生または進行を防止することができる。
【００２２】
（実施の形態９）
図１は、製品、または部品の運搬、または保管の分野において、酸化作用による錆の発生または進行を防止する運搬、または保管を行う梱包を示し、図１において、１は梱包保管部である。梱包内部のガス圧力を抑制するため、または梱包内の酸素を取り除くために、半密閉容器としている。２は酸素を含まない気化性物質を封入したボンベであり、梱包保管部１の中央に設置される。ボンベは除々に前記気化性物質を放出し、梱包内を酸素を含まない気化性物質にて満たすものとする。
【産業上の利用可能性】
【００２３】
本発明は製品、または部品を運搬、または保管する分野において、酸化作用による錆の発生、または進行を防止する運搬、または保管に関する。
【図面の簡単な説明】
【００２４】
【図１】本発明の一実施例による梱包保管部の斜視図
【図２】従来例による梱包保管部の斜視図
【符号の説明】
【００２５】
１  梱包保管部
２  酸素を含まない気化性物質を封入したボンベ
【図１】
2006076664.tif 000003
【図２】
2006076664.tif 000004